(57)【要約】【課題】胎児に悪影響を与えない適度な骨盤引き締めを産前から行って腰痛を緩和するとともに、妊娠中の下腹部をしっかりサポートすることができる妊婦帯を提供する。【解決手段】少なくとも妊婦の腹部前面ＡＢを覆うようにして腹部周りに装着される妊婦帯本体１１と、妊婦帯本体１１に接続され、骨盤の歪みを抑える骨盤ベルト部２１とを備え、妊婦帯本体１１は、装着状態において、腹部前面ＡＢを覆う腹被覆部１３の下端部１３ｃが、上前腸骨棘よりも下側に配置されると共に、妊婦の下腹の膨らみに対応するように上下方向に対して傾斜しており、骨盤ベルト部２１は、装着状態において、妊婦帯本体１１のうち腹被覆部１３よりも脇側周辺に接続され、かつ、脇側周辺から背面を通って骨盤周りに巻かれて、下端部１３ｃに接続されるようになっていることを特徴とする。【選択図】図１
2014163014.tif 000002
【特許請求の範囲】
【請求項１】
少なくとも妊婦の腹部前面を覆うようにして腹部周りに装着される妊婦帯本体と、
前記妊婦帯本体に一端のみが接続固定された帯状であって、骨盤周りに巻かれる骨盤ベルト部と、
を備え、
前記妊婦帯本体は、装着状態において、前記腹部前面を覆う腹被覆部の下端部が、上前腸骨棘よりも下側に配置されると共に、下腹の膨らみに対応するように上下方向に対して傾斜しており、
前記骨盤ベルト部は、装着状態において、前記妊婦帯本体の前記腹被覆部よりも脇側周辺に接続され、かつ、前記脇側周辺から背面を通って骨盤周りに巻かれて、前記下端部に接続されるようになっている
ことを特徴とする妊婦帯。
【請求項２】
前記妊婦帯本体は腹部周りに巻かれる帯状であって、装着状態において、腹部の略膨らみ始めの位置に、少なくとも巻かれる方向に伸縮性を発揮する伸縮性部材を有し、
前記骨盤ベルト部は２本であって、前記妊婦帯本体の前記伸縮性部材よりも両脇側に接続固定されている
ことを特徴とする請求項１に記載の妊婦帯。
【発明の詳細な説明】
【技術分野】
【０００１】
本発明は、腰痛防止機能を有する妊婦帯に関する。
【背景技術】
【０００２】
妊婦は、腹部を保護および保温するために妊婦帯をよく使用する。特に妊娠後期に至り腹部が膨らんでくると、腹部は相当重くなるため、ベルト付きの妊婦帯により下腹部を支える構造のものが提案されている。このベルトは、ささえ帯とも呼ばれており、妊婦帯に対して部分的に補強部材を配設したものとなっており、膨らんだ下腹部を支えるために利用されている。また、ベルト付きの妊婦帯として、下腹部を支持することで腰痛を緩和する機能を備えた妊婦帯も提案されている（特許文献１参照。）。
ところで、近年、妊婦に限らずその姿勢が悪く、骨盤や背骨が歪んでいることからくる腰痛に悩まされている女性が増えており、姿勢矯正を行うことに強い関心がもたれている。特に、骨盤を引き締めることで、腰痛を緩和できるとともに、より美しいプロポーションを得られることから、骨盤引き締めベルトの需要が高まっている。
【先行技術文献】
【特許文献】
【０００３】
【特許文献１】特開２００５−２０７００１号公報
【発明の概要】
【発明が解決しようとする課題】
【０００４】
しかしながら、下腹部を支持する特許文献１のようなタイプではなく、骨盤を引き締めるベルトであると、妊婦は腹部内に胎児がいることから、強い引き締めを行うことはできず、その上、骨盤周りの筋肉の緩みに伴って、せっかく矯正された姿勢も大きく崩れる恐れがある。
本発明は、このような状態を考慮してなされたものであり、胎児に悪影響を与えない適度な骨盤引き締めを産前から行って腰痛を緩和するとともに、妊娠中の下腹部をしっかりサポートすることができる妊婦帯を提供することを目的とする。
【課題を解決するための手段】
【０００５】
上述の課題を解決するために、本発明は、少なくとも妊婦の腹部前面を覆うようにして腹部周りに装着される妊婦帯本体と、前記妊婦帯本体に一端のみが接続固定された帯状であって、骨盤周りに巻かれる骨盤ベルト部と、を備えている。そして、前記妊婦帯本体は、装着状態において、前記腹部前面を覆う腹被覆部の下端部が、上前腸骨棘よりも下側に配置されると共に、下腹の膨らみに対応するように上下方向に対して傾斜しており、前記骨盤ベルト部は、装着状態において、前記妊婦帯本体の前記腹被覆部よりも脇側周辺に接続され、かつ、前記脇側周辺から背面を通って骨盤周りに巻かれて、前記下端部に接続されるようになっていることを特徴とする。
【０００６】
このため、例えば、妊婦帯本体の腹被覆部よりも脇側周辺に一端が接続固定された骨盤ベルト部を引っ張って、背面側に回し、その先端部を妊婦帯本体の腹被覆部の下端部に接続すると、妊婦帯本体の腹被覆部の下端部と骨盤ベルト部との双方が協同して骨盤周りに巻かれることになり、骨盤の歪み等を効果的に抑制するとともに、腰痛の発生を防止することができる。
また、妊婦帯本体と骨盤ベルト部とは同時期に装着が可能であり、妊婦帯と骨盤ベルトとを別々に装着する場合に比べて、容易に装着することができる。
さらに、妊婦帯本体のうち、骨盤ベルト部を引っ張ってテンションが直接かかるのは、腹被覆部の下端部であり、このため、腹被覆部の中央領域や上部にはテンションがかかり過ぎず、圧迫感を与えず、また、胎児への悪影響も有効に防止できる。
しかも、当該テンションが直接かかる腹被覆部の下端部は、妊婦の下腹の膨らみに対応するように上下方向に対して傾斜している。従って、妊婦の下腹部を前から押し潰すのではなく、下腹部を下から支えするようにテンションがかかり、このため下腹部を下支えする安定感も与えることができる。
【０００７】
また、好ましくは、前記妊婦帯本体は腹部周りに巻かれる帯状であって、装着状態において、腹部の略膨らみ始めの位置に、少なくとも巻かれる方向に伸縮性を発揮する伸縮性部材を有し、前記骨盤ベルト部は２本であって、前記妊婦帯本体の前記伸縮性部材よりも両脇側に接続固定されていることを特徴とする。
そうすると、妊婦帯本体は腹部周りに巻かれる帯状であるため、筒状タイプ等に比べて、様々な腹部周りの長さを有する妊婦に合わせて装着できる。
また、骨盤ベルト部は２本であるため、左右均等に引っ張って骨盤周りに巻くことができる。
そして、妊婦帯本体は、腹部の略膨らみ始めの位置に伸縮性部材を有しているため、妊婦の異なる腹部の膨らみ具合に対応して伸び縮みし、腹被覆部を腹部に対して均一に接触させることができる。
さらに、骨盤ベルト部は妊婦帯本体の伸縮性部材よりも両脇側に接続固定されているため、装着する際、骨盤ベルト部を引っ張っても、その張力は腹被覆部に伝わり難くなり、腹部の締め付け過ぎを有効に防止できる。また、装着した後では、例えば歩行時に腹部が揺れたとしても、その揺れは骨盤ベルト部の根本に伝達され難く、このため、骨盤ベルト部の位置ずれを有効に防止できる
【発明の効果】
【０００８】
以上、本発明によれば、胎児に悪影響を与えない適度な骨盤引き締めを産前から行って腰痛を緩和するとともに、妊娠中の下腹部をしっかりサポートすることができる妊婦帯を提供することができる。
【図面の簡単な説明】
【０００９】
【図１】本発明に係る妊婦帯を装着するにあたり、装着者の腹部にあてがった状態を示す正面図。
【図２】本発明に係る妊婦帯を装着した状態を示す前側から見た斜視図。
【図３】本発明に係る妊婦帯を装着した状態を示す後ろ側から見た斜視図。
【図４】本発明に係る妊婦帯を装着した状態を示す部分側面図。
【図５】妊婦の骨盤周辺の正面図であり、皮膚や筋肉などの組織を透視した図。
【発明を実施するための形態】
【００１０】
以下に、本発明の好ましい実施形態を、図面を参照して詳しく説明する。
なお、以下に述べる実施の形態は、本発明の好適な具体例であるから、技術的に好ましい種々の限定が付されているが、本発明の範囲は、以下の説明において特に本発明を限定する旨の記載がない限り、これらの態様に限られるものではない。また、各図において付した同じ符号は同様の構成を有している。
【００１１】
妊婦帯１０は、図１〜図４に示すように、妊婦Ｍの膨らんだ腹部周りに装着される妊婦帯本体１１と、この妊婦帯本体１１に一端のみが接続固定された帯状であって、骨盤の歪みを抑える骨盤ベルト部２１とを備え、図の場合、妊婦帯本体１１を妊婦Ｍの腹部に巻くとともに、骨盤ベルト部１２を骨盤周りに巻いて使用される。
妊婦帯本体１１は、図１に示すように、妊婦Ｍの腹部前面ＡＢを覆うように巻き付けられる帯状であり、長手方向（巻く方向）の中間領域で腹部前面ＡＢにあてがわれる腹被覆部１３と、腹被覆部１３の長手方向両端に連設される伸縮性を発揮する伸縮性部材１４，１４と、妊婦Ｍの背面において固定する固定用ベルト１５，１５とからなる。
【００１２】
妊婦帯本体１１は、その長手方向の寸法については、少なくとも妊婦Ｍの腹部周りの最大寸法より長く形成され、また、短手方向（巻く方向と直交する幅方向）の寸法については、全体的に腹被覆部１３が最も広く、固定用ベルト１５が最も狭い。なお、本発明の妊婦帯本体１１はこのような形態に限られず、例えば筒状やパンツ状であっても構わないが、図のように帯状で巻き付ける構成とするのが好ましく、これにより装着する妊婦に応じて腹部を支持する力を加減できる。
【００１３】
腹被覆部１３は、妊婦の膨らんだ腹部を覆って、腹部を保温及び保護する役割を有している。図の腹被覆部１３は、上側周縁１３ａと下側周縁１３ｂが緩やかな円弧状とされ、かつ、図４に示すように、全体的に略円錐台形状又はドーム形状に膨らみ、さらに、装着時の上下方向について多少の伸縮性を発揮するようになっている。これにより、腹被覆部１３は、上から下に向かうに従って膨らんだ腹部の体形に概ね対応して装着できる。
腹被覆部１３の幅（装着時の上下方向の寸法）については、図１に示すように、長手方向の中間領域で最も広く、両端の固定用ベルト１５，１５に向うにしたがって狭まっている。また、腹被覆部１３の下側周縁１３ｂ及びその周辺を含む下端部１３ｃは、長手方向の全てについて、図２に示すように、装着状態において上前腸骨棘Ｔより下側に配置可能とされている。
【００１４】
そして、腹被覆部１３は、長手方向（巻く方向）について伸縮性を有さない或いは少ない（少なくとも幅方向に比べて伸縮性が低い）部材、例えばフレンチパイル地から形成されている。このように、腹被覆部１３は、伸縮性を有さない部材により形成されるが、腹被覆部１３と連設される伸縮性部材１４により、妊婦帯本体１１全体としては、適度な伸縮性が備わっている。
なお、腹被覆部１３は、伸縮性を有さないあるいは少ない部材から形成されることについて述べたが、本発明はこれに限られず、伸縮性部材１４を備えない妊婦帯においては、腹被覆部１３自体が適度な伸縮性を備えることが望ましい。
【００１５】
妊婦帯本体１１の伸縮性部材１４は、腹被覆部１３の長手方向両端（即ち、腹被覆部１３と固定用ベルト１５との間）において配置され、幅方向（装着時の上下方向）の全体（全幅）にわたって配置されている。
伸縮性部材１４は、少なくとも長手方向すなわち巻かれる方向に伸縮性を発揮する。図の伸縮性部材１４は可撓性を有すると共に、面方向全体に伸縮性を有しており、これにより、腹被覆部１３を様々な腹部の形状や動きに追従してあてがうことができる。
【００１６】
このような伸縮性部材１４は、妊婦帯本体１１の腹部の略膨らみ始めの位置に設けられている。また、伸縮性部材１４は、適度な伸縮性と弾性力を併せ持っており、例えばパワーネットから構成されている。これにより、伸縮性部材１４は腹部の重みのみで伸びきることが可及的に防止され、腹被覆部１３が膨らんだ腹部全体を支持できるようにしている。そして、腹部の略膨らみ始めの位置に伸縮性部材１４が設けられることで、妊婦の異なる腹部の膨らみ具合に対応して伸び縮みし、腹被覆部１３を腹部全体に均一に接触させ、局所的に腹部を加圧する事態を防止している。さらに、伸縮性部材１４として最も適したパワーネットは、腹被覆部１３を構成するフレンチパイル地と比較して通気性を備えることから、腹被覆部１３にパワーネットを採用するよりも、腹部の保温を維持できる。
なお、伸縮性部材１４の上下周縁１４ａ，１４ｂはパワーネットではなく、パイピングが施されているが、この上下周縁１４ａ，１４ｂも、パワーネットと同様の伸縮性を有し、少なくとも巻かれ方向に伸縮性を有し、さらに全方向に可撓性を有することが望ましい。
【００１７】
妊婦帯本体１１の固定用ベルト１５は、伸縮性部材１４，１４から連続するように形成され、図３に示すように、妊婦Ｍの背面において、一方の端部１５ａと他方の端部１５ｂとを固定することができる。固定用ベルト１５は、図１及び図３に示すように、一方の端部１５ａの裏面側すなわち装着時の妊婦Ｍと対向する側の面に、面ファスナー１５ｃが設けられ、他方の端部１５ｂの表面すなわち装着時の妊婦Ｍと対向しない側の面と着脱可能となっている。固定用ベルト１５の少なくとも他方の端部１５ｂの表面側は、全面に亘って面ファスナー１５ｃが着脱できる構成となっている。これにより、固定用ベルト１５，１５同士は、様々な腹部周りの長さを有する妊婦に合わせて着脱することができる。また、固定用ベルト１５，１５は、その幅（装着時の上下方向の長さ）が妊婦帯本体１１を装着した際に妊婦Ｍの背面に食い込まず、また背中がごわつかない程度の幅となっており、腹被覆部１３と比較して幅狭に形成されている。さらに、固定用ベルト１５は、伸縮性を有さないあるいは少ない部材、例えば腹被覆部１３と同一素材であるフレンチパイル地から形成されている。
【００１８】
続いて、妊婦帯本体１１に接続される骨盤ベルト部２１について説明をするが、その前に、骨盤ベルト部２１を巻く好ましい骨盤位置について説明する。
図５は骨盤周辺の正面図であり、この図に示すように、骨盤１は仙骨２を中心に左右対称に配置された一対の寛骨３，３からなっている。各寛骨３は、腸骨４、軟骨である寛骨臼５、恥骨６、及び挫骨７を有しており、恥骨６の脇から寛骨臼５にかけて形成された窪みに、大腿骨の付け根の骨８が入り込むようになっている。
この骨盤１は、一対の恥骨６，６の互いの間隔Ｌが出産によって拡がり、その拡がった状態が産後も続く。そして、この間隔Ｌが拡がった状態すなわち骨盤が緩んだ状態は、腰痛や体形変化に大きく影響すると考えられ、このため、従来は、産後すぐから骨盤矯正を行うようにしている。しかし、出産前の妊娠後期においても、妊娠に伴い腹部が膨らんでくることから、この時期の妊婦は、体形変化に合わせて通常とは異なる姿勢を取る傾向があり、このことが骨盤の歪みに繋がっていた。このことは、腰痛を引き起こす原因ともいわれており、産後に限らず、産前から骨盤の歪みを抑制することが求められていた。
そこで、骨盤１の一対の恥骨６，６を適度に引き締めることが歪み等を効果的に抑制できると考えられ、骨盤ベルト部は、恥骨６，６周りに巻くことが望ましい。ただし、上述のように、恥骨６の脇から寛骨臼５にかけて形成された窪みに、脚の付け根の骨８が入り込むようになっているため、この帯域にベルトを巻いてしまうと、脚の付け根を締め付けて、歩行し難くなるだけでなく、歩行に伴ってずれ易くなる。一方、妊婦の腹部の中には胎児がいることから、寛骨３の上部を強く引き締めることは好ましくなく、したがって、骨盤ベルト部は、寛骨臼５より上側であって腸骨４より下側の間の帯域（図４の一点鎖線で示す帯域Ｘ：以下「骨盤帯域Ｓ」という）に位置するように巻くことが最も効果的である。
【００１９】
次に、骨盤ベルト部２１について詳細に説明をする。
図１の骨盤ベルト部２１は２本で構成され、妊婦帯本体１１の左右の固定用ベルト１５，１５（即ち伸縮性部材１４よりも巻く方向の先端側）に一本ずつ接続固定されている。なお、骨盤ベルト部２１，２１は固定用ベルト１５と同様の素材、例えば伸縮性を有さないあるいは少ないフレンチパイル地から形成されている。
この２本の骨盤ベルト部２１，２１は、骨盤周りに互いに逆回りとなって巻かれ、その幅が固定用ベルト１５よりも幅狭な帯状部材となり、さらに、上述のように骨盤帯域Ｓに巻くことが好ましいことから、骨盤帯域Ｓと同等以下の幅とされている。
図の２本の骨盤ベルト部２１，２１は左右対称で同様の構成であるため、以下、特段の言及がない限り、左右いずれか一方の骨盤ベルト部２１を説明する。
【００２０】
骨盤ベルト部２１の根元（一端）２１ｃは、固定用ベルト１５の基端側すなわち伸縮性部材１４に近接する下側周縁１５ｄに接合されている。この骨盤ベルト部２１は接合固定された下側周縁１５ｄは、骨盤帯域Ｓの略上部に配置されるようになっている。
また、骨盤ベルト部２１は、図１の展開した状態において、下側周縁１５ｄを基端として、腹被覆部１３から遠ざかるように（すなわち、装着状態で背面側に向かうように）、装着状態における水平方向に対して所要の角度θ１をもって斜め下に延びている。この角度θ１は、骨盤ベルト部２１を巻いた際に、骨盤帯域Ｓから大きく逸脱しない角度とされ、概ね３０〜４０度とされている。このように骨盤ベルト部２１は、図１の展開した状態では斜め下に延伸しているが、これを巻くと、図２及び図３に示すように、臀部のカーブにより、背面から腹部前面に向かうに従って逆に斜め上に延伸し、これにより骨盤帯域Ｓに巻くことが可能となっている。
【００２１】
具体的には、２本の骨盤ベルト部２１，２１は、伸縮性部材１４よりも妊婦Ｍの両脇側を基端とし、図３に示すように、一方の脇側の骨盤ベルト部２１は当該一方の脇側から背面側に延び、他方の骨盤ベルト部２１は当該他方の脇側から背面側に延びている。背面側に延びた２本の骨盤ベルト部２１，２１は、背面側の腰部に対応する位置において互いに交差する。そして、背面側で互いに交差した骨盤ベルト部２１，２１は、図２に示すように、伸縮性部材１４を超えて前面側の腹被覆部１３まで互いに逆方向に回されて巻きつけられ、腹被覆部１３の下端部１３ｃ（下側周縁１３ｂの周辺であり、上前腸骨棘より下側に配置）であって伸縮性部材１４に近接した位置に、先端部２１ｂ，２１ｂが接続される。なお、骨盤ベルト部２１の先端部２１ｂと腹被覆部１３との接続は、先端部２１ｂの裏面（装着者と対向する側の面）に設けられた面ファスナー２１ａにより着脱可能に行われる。このようにして、各骨盤ベルト部２１は、装着時において、脇側から背面を介して前面の腹被覆部１３の両端部に至る長さを有し、骨盤帯域Ｓに巻かれるようになっている。
【００２２】
骨盤ベルト部２１は以上のように装着されるため、図２に示すように、２本の骨盤ベルト部２１，２１と、その先端部２１ｂ，２１ｂどうしに挟まれた腹被覆部１３の下端部１３ｃとで協同して骨盤周りにテンションをかけて締め付けている。
しかも、このような構成により、妊婦帯１０は、胎児に悪影響を与えないように、骨盤を締め付けることができる。すなわち、２本の骨盤ベルト部２１，２１は、一対の寛骨を両脇側から締め付け、また、骨盤の歪みやずれを抑制するための圧を付与するだけの幅狭な帯状となっていることから、過度な負荷を腹部に与えることがなく、これが胎児に及ぼす悪影響を防止している。
この点、胎児のいる腹部に大きく影響を与えるのは腹被覆部１３であり、この腹被覆部１３を大きく締め付けてしまうと胎児に悪影響を及ぼしてしまうが、本実施形態の骨盤ベルト部２１の先端部２１ｂが接続されるのは腹被覆部（腹部前面）１３の下端部１３ｃである。そして、この下端部１３は、上前腸骨棘より下側（下腹部の下側）に装着されるので、妊婦Ｍの腹部中央、腹部上部などにテンションがかかり過ぎず、圧迫感を与えず、胎児への悪影響を有効に防止できる。
【００２３】
しかも、この下端部１３ｃは、図４に示すように、装着状態において、妊婦の下腹の膨らみに対応するように上下方向に対して傾斜している。この上下方向に対する傾斜の角度θ２は、妊婦の腹部の膨らみ具合や素材の伸縮性を考慮して適宜決めればよく、下端部１３ｃの裏面全てが下腹に密着するのがより好ましい。本実施形態の傾斜は、図１に示すように、下端部１３ｃの長手方向の中央部の縫合部１３ｄにより形成されている。縫合部１３ｄは、長手方向の中央を上下方向に切断して縫合した部分である。これにより、先端部２１ｂ，２１ｂどうしに挟まれた腹被覆部１３の下端部１３ｃは、下腹部を前から押さえつけるのではなく、図４の矢印Ｖ１に示すように、下支えするように力が加わるため、胎児に悪影響を及ぼすことはない。なお、本実施形態の骨盤ベルト部２１は、その先端部２１ｂが下端部１３ｃであって、伸縮性部材１４の近傍に着脱可能なように、長さが設定されているため、上述した下支え感の向上が可能である。
そして、このように下腹部の下側から腹部をサポートする態様となっていることから、骨盤ベルト部２１は腹被覆部１３の下端部１３ｃと協同して妊婦Ｍの腹部をサポートし、装着者に安定感を与えることもできる。
さらに、図１及び図２に示すように、腹被覆部１３の両脇側であって、腹部の膨らみ初めの位置には伸縮性部材１４が配置されている。そして、この伸縮性部材１４は腹部の膨らみに対応して伸びるため、腹被覆部１３の下端部１３ｃよりも上側の領域では、腹部を強く押さえ付けることがさらに防止される。
【００２４】
また、骨盤ベルト部２１は、妊婦帯本体１１に一端が固定されているため、妊婦帯本体１１を正しくに装着することで、容易に望ましい骨盤帯域Ｓに巻回することができる。また、骨盤ベルト部２１は、妊婦帯本体１１に接続されており、さらには背面側で交差することから位置ずれし難い構成となっている。
【００２５】
〔妊婦帯１０の使用方法〕
続いて、妊婦帯１０の使用方法について説明する（以下の符号については、図１〜図３を参照）。
妊婦帯１０を装着するには、最初に妊婦帯本体１１を装着する。
すなわち、装着者である妊婦Ｍは、妊婦帯本体１１の固定用ベルト１５，１５を両手で把持し、腹被覆部１３が腹部に当接するようにあてがって巻き付け、背面において固定用ベルト１５の一方の端部１５ａと他方の端部１５ｂとを面ファスナー１５ｃで固定する。
このとき、妊婦帯本体１１は、伸縮性部材１４，１４に所定の張力をもたせて固定するのがよい。なお、所定の張力とは、伸縮性部材１４が伸びるけれども伸びきらない範囲の張力である。これより、伸縮性部材１４より中央側の腹被覆部１３は、腹部を有効に支持でき、また、歩行時等に腹部が揺れたとしても、その揺れの固定用ベルト１５側への伝搬力を弱めることができる。
さらに、妊婦帯本体１１を装着する際、腹部前面ＡＢの下端部にあたる腹被覆部１３の下側周縁１３ｂを、腰骨が突出した位置すなわち上前腸骨棘（図４も参照）よりも下側に配置するように調整する。これにより、腹被覆部１３が下腹部をしっかりと覆うと共に、腹被覆部１３の下側周縁１３ｂは骨盤を締め付けるための一部として用いられることになる。
【００２６】
次に、装着者は、両脇から背面側に延びる骨盤ベルト部２１，２１を持って背面側に回し、背面側の腰部で２本の骨盤ベルト部２１，２１を交差させ、腹被覆部１３側に回して巻きつける。この際、上述したように、骨盤ベルト部２１は、固定用ベルト１５から所定の角度θ１を付けて斜め下に向かって延伸しているため、装着者は特別な装着方法を知らなくとも、骨盤帯域Ｓに骨盤ベルト部２１，２１を容易に巻くことができる。
そして、最後に骨盤ベルト部２１，２１の夫々の先端部１２ｂを、面ファスナー２１ａ，２１ａで腹被覆部１３の下端部１３ｃに接続する。この際、骨盤ベルト２１の先端部２１ｂは、伸縮性部材１４よりも脇側ではなく腹部中央側の腹被覆部１３に接続することが必要である。先端部２１ｂを伸縮性部材１４よりも脇側に接続してしまうと、伸縮性部材１４の巻く方向の伸縮性により、骨盤ベルト部２１で下端部１３ｃを引っ張る力が打ち消されてしまうからである。
また、骨盤ベルト部２１，２１は、下端部１３ｃに接続する際、少なくとも互いに交差することがなく、好ましくは長手方向の両端部に接続可能な長さを有しており、これにより、大きな腹部の前で手を交差させる必要がなく、容易に先端部２１ｂと下端部１３ｃとを接続できる。
【００２７】
以上により、本実施形態の妊婦帯１０は、２本の骨盤ベルト部２１，２１と、その先端２１ｂ，２１ｂどうしに挟まれた腹被覆部１３の下端部１３ｃとで協同して骨盤を締め付けると共に、図４に示すように、腹被覆部１３の下端部１３ｃの傾斜角θ２が相まって、腹部を下支えするサポート効果も発揮する。
さらに、このように骨盤を締め付けたとしても、上述した骨盤ベルト部２１の装着位置や幅、骨盤ベルト部２１の先端部２１ｂが接続される腹被覆部１３の位置（上前腸骨棘よりも下側）、腹被覆部１３の図４の角度θ２を有する膨み、及び、伸縮性部材１４の存在により、胎児に悪影響を及ぼすことがない。
しかも、本実施形態の伸縮性部材１４は伸縮性と弾性力を有していることから、歩行時等に腹部が揺れたとしても、その揺れは骨盤ベルト部２１に伝達され難く、このため、骨盤ベルト部２１の位置ずれを有効に防止できる。
以上のように、本実施形態の妊婦帯１０は、腹部に対する保温性は勿論、腹部の下支え効果、骨盤締め付け効果を発揮し、さらに骨盤ベルト部２１の位置ずれも防止する優れた腰痛防止機能付きの妊婦帯１０となる。なお、妊婦帯１０では、妊婦帯本体１１を装着することで、これに接続された骨盤ベルト部２１，２１の装着位置も概ね決定されることから、複雑な固定位置を知らなくとも効果的な骨盤サポートを実現することができる。
【００２８】
本発明は、上述した実施形態に限定されず、特許請求の範囲を逸脱しない範囲で種々の変更を行うことができる。また、上記実施形態の各構成は、その一部を省略し、或いは上記とは異なるように任意に組み合わることができる。
例えば、本実施形態では、好ましい形態として伸縮性部材１４を腹部の膨らみ始めの位置に設けたが、本発明はこれに限らず、伸縮性部材１４がなくてもよい。この場合、腹被覆部１３に適度な伸縮性を有する素材により形成することで、伸縮性部材１４の代用とすることが出来る。
また、図１に示すように、骨盤ベルト部２１の一端（根元）は、妊婦帯本体１１の伸縮性部材１４よりも脇側に接続固定されるのが好ましいが、本発明はこのような形態に限られず、伸縮性部材１４よりも腹部中央側（即ち、腹被覆部１３の下端部１３ｃ）に接続固定されてもよい。この場合、骨盤ベルト部２１は、当該接続固定された下端部１３ｃから背面を回って骨盤周りに巻かれて、伸縮性部材１４よりも脇側に先端部２１ｂが着脱可能とされる。
【符号の説明】
【００２９】
１０・・・妊婦帯、１１・・・妊婦帯本体、１３・・・腹被覆部、１３ｃ・・・下端部、１４・・・伸縮性部材、１５・・・固定用ベルト、２１・・・骨盤ベルト部
【図１】
2014163014.tif 000003
【図２】
2014163014.tif 000004
【図３】
2014163014.tif 000005
【図４】
2014163014.tif 000006
【図５】
2014163014.tif 000007